(57)【要約】【課題】バッテリ充電器において、バッテリパックのサーミスタの抵抗値を評価するための分配抵抗の試験を行なうための抵抗試験回路及び抵抗試験回路を備えたバッテリ充電器を提供する。【解決手段】バッテリ充電器２０は、パワーオンし、セルフテストを実行する。このセルフテストにおいては、スイッチＳＷ１〜ＳＷ５を順次切り換えて、抵抗Ｒ１〜Ｒ４を組み合わせた抵抗群の接続状態を試験する。セルフテストにおいて問題がある場合には、バッテリ充電器２０は、充電を停止する。一方、セルフテストにおいて問題がない場合には、バッテリパック１０のサーミスタＴＨ１を用いて温度評価を行なう。この温度に対応した充電電流を決定し、充電を開始する。【選択図】図１
2010283955.tif 000002
【特許請求の範囲】
【請求項１】
バッテリの温度を測定するサーミスタに直列に接続される複数の分配抵抗と、前記各分配抵抗に対応して参照電圧の供給を制御するスイッチと、前記サーミスタの両端電圧と基準電圧とを比較するコンパレータと、前記バッテリに充電電流を供給する電源とを設けたバッテリ充電器において、前記スイッチ及び前記電源を制御する制御部を備え、前記分配抵抗の接続状態の試験を行なう抵抗試験回路であって、
前記制御部が、前記スイッチを順次切り替えて、前記コンパレータからの比較結果を取得し、
前記比較結果において異常検知しない場合のみ前記電源による充電を許可する試験動作を実行することを特徴とする抵抗試験回路。
【請求項２】
前記バッテリ充電器のパワーオンを検知した場合に、前記制御部が前記試験動作を開始することを特徴とする請求項１に記載の抵抗試験回路。
【請求項３】
前記バッテリ充電器において、分配抵抗に直列に接続された容量が接続されており、
前記制御部が、前記試験動作の対象の分配抵抗の抵抗値と前記容量とによって決まる時定数に対応する時間を用いて各スイッチを切り換えることを特徴とする請求項１又は２に記載の抵抗試験回路。
【請求項４】
前記制御部が、接続されたバッテリの温度検知を行ない、検知された温度に基づいて試験動作の実行の要否を判定することを特徴とする請求項１〜３のいずれか一つに記載の抵抗試験回路。
【請求項５】
分配抵抗に対して直列にスイッチ及び擬似抵抗を設け、
前記バッテリ充電器にバッテリが接続されていない場合には、前記スイッチを用いて擬似抵抗を接続して分配抵抗の試験動作を行なうことを特徴とする請求項１に記載の抵抗試験回路。
【請求項６】
バッテリの温度を測定するサーミスタに直列に接続される複数の分配抵抗と、
前記各分配抵抗に対応して参照電圧の供給を制御するスイッチと、
前記サーミスタの両端電圧と基準電圧とを比較するコンパレータと、
前記バッテリに充電電流を供給する電源と、
前記スイッチ及び前記電源を制御する制御部とを備え、前記分配抵抗の接続状態の試験を行なう抵抗試験回路を備えたバッテリ充電器であって、
前記制御部が、前記スイッチを順次切り替えて、前記コンパレータからの比較結果を取得し、
前記比較結果において異常検知しない場合のみ前記電源による充電を許可する試験動作を実行することを特徴とするバッテリ充電器。
【発明の詳細な説明】
【技術分野】
【０００１】
本発明は、バッテリの充電に用いる充電器の試験回路及び抵抗試験回路を備えたバッテリ充電器に関するものである。
【背景技術】
【０００２】
今日、多くの電子機器にリチウムイオンバッテリ等の二次電池が利用されている。例えば、リチウムイオンバッテリを安全に充電する場合には、バッテリパックの温度をモニタすることにより充電電流を制御する必要がある（例えば特許文献１を参照。）。特許文献１に記載された技術では、熱的条件が変わりやすい環境において、バッテリの充電，放電及び再充電を行なうための技術が検討されている。ここでは、バッテリに充電するためのバッテリ充電器において、バッテリに結合された充電電流出力を備える充電回路と、バッテリの温度に関連した温度を検知するように配置された温度センサとを備える。そして、温度センサ及び充電回路に結合されて、温度に従って充電電流を設定する。
【０００３】
ここで、温度を評価するための構成を、図１０を用いて説明する。図１０（ａ）に示すように、バッテリパック１０は、バッテリセルＣＬ１の他にサーミスタＴＨ１を備えている。このサーミスタＴＨ１は、負温度係数（ＮＴＣ：negative temperature coefficient）を有し、温度によって変化する抵抗率により温度を測定することができる。そして、バッテリ充電器４０においては、図１０（ｂ），（ｃ）に示すように、複数の温度閾値を用いて、充電制御を行なう。例えば、温度Ｔ１〜Ｔ２の低温領域、温度Ｔ２〜Ｔ５の標準温度領域、温度Ｔ５〜Ｔ６の高温領域において、電流や電圧の制限を行なう。そして、温度Ｔ３〜Ｔ４が充電に最も適した温度領域である。
【０００４】
このように温度に応じた制御を行なうために用いられるサーミスタＴＨ１の抵抗値を評価するために、バッテリ充電器には温度閾値に対応した抵抗群が設けられている。このような抵抗群には、直列型と並列型とがある。直列型は、図１１（ａ）に示すように、抵抗Ｒ１〜Ｒ４を多段で直列に接続し、各抵抗の接続ノードに電圧を供給するスイッチ群（スイッチＳＷ１〜ＳＷ４）を設けた構成である。一方、並列型は、図１１（ｂ）に示すように、抵抗Ｒ９１〜Ｒ９４を並列に接続し、各抵抗に電圧を供給するスイッチＳＷ１〜ＳＷ４を設けた構成である。
【０００５】
そして、充電器において、抵抗Ｒ１〜Ｒ４を組み合わせた抵抗値や抵抗Ｒ９１〜Ｒ９４の抵抗値と、サーミスタＴＨ１の抵抗値とによって決まるサーミスタＴＨ１の両端電圧と基準電圧とをコンパレータＣＰ１により比較することにより、バッテリパックの温度閾値を評価する。この場合、図１１（ｃ）に示すように、スイッチＳＷ１〜ＳＷ４を順次切り換えて、異なる抵抗をサーミスタＴＨ１に接続することにより温度閾値を検知することになる。
【０００６】
ところで、サーミスタが断線等している場合には的確な測定を行なうことができない。そこで、火災受信機の監視回線などに接続して、温度検知回路の断線、短絡などの異常を監視するためのデジタル熱感知器が検討されている（例えば特許文献２を参照。）。この特許文献２に記載されたデジタル熱感知器では、サーミスタを有した温度検知回路と、この温度検知回路の電圧出力をデジタル信号の温度計測値に変換するＡ／Ｄ変換手段とを備える。そして、この温度計測値と、断線等の閾値とを比較し、断線等を判別し、判別信号を監視回線に出力する。
【０００７】
また、正常に動作するかどうかの点検試験を行った場合に、感熱素子であるサーミスタ
の断線検出を行なう火災警報器も検討されている（例えば特許文献３を参照。）。この特許文献３に記載された火災警報器では、火災時になると、周囲温度が上昇してサーミスタの抵抗値が減少し、作動温度以上になると、火災判断回路のコンパレータは警報信号を出力し、ブザー駆動信号により警報を発する。又、点検スイッチが押されると、火災代用抵抗が感度調整抵抗に並列に接続されることにより、コンパレータは警報信号を出力する。
【先行技術文献】
【特許文献】
【０００８】
【特許文献１】特開２００３−１９９２６２号公報（第１頁、図１）
【特許文献２】特開平１０−３３４３６０号公報（第１頁、図１）
【特許文献３】特開平９−１１５０７４号公報（第１頁、図１）
【発明の概要】
【発明が解決しようとする課題】
【０００９】
図１１に示すような回路の場合、抵抗Ｒ１〜Ｒ４、もしくはＲ９１〜Ｒ９４が確実に端子に接続されていないと正しい温度評価ができない。一方、このような接続を試験する手法として、電子回路においては、回路の動作試験のためにＪＴＡＧ（Joint Test Action Group）バウンダリスキャンにより故障箇所を特定するための検出を行なうことができる
。しかし、このような試験方法は、デジタル回路を対象にしており、負温度係数を有するサーミスタを含むアナログ回路においては適さない。特に、バッテリ充電器における試験は、効率的かつ再現性良く行なう必要がある。
【００１０】
本発明は、上記の問題点を解決するためになされたものであり、バッテリ充電器の分配抵抗の試験を行なうための抵抗試験回路及び抵抗試験回路を備えたバッテリ充電器を提供することにある。
【課題を解決するための手段】
【００１１】
上記問題点を解決するために、本発明は、バッテリの温度を測定するサーミスタに直列に接続される複数の分配抵抗と、前記各分配抵抗に対応して参照電圧の供給を制御するスイッチと、前記サーミスタの両端電圧と基準電圧とを比較するコンパレータと、前記バッテリに充電電流を供給する電源とを設けたバッテリ充電器において、前記スイッチ及び前記電源を制御する制御部を備え、前記分配抵抗の接続状態の試験を行なう抵抗試験回路であって、前記制御部が、前記スイッチを順次切り替えて、前記コンパレータからの比較結果を取得し、前記比較結果において異常検知しない場合のみ前記電源による充電を許可する試験動作を実行することを要旨とする。これにより、バッテリの温度状態を測定する抵抗に問題がある場合には、充電を抑制し、的確な充電を行なうことができる。
【００１２】
また、本発明は、前記バッテリ充電器のパワーオンを検知した場合に、前記制御部が前記試験動作を開始することを要旨とする。これにより、充電開始前に抵抗の接続状態を確認して充電を行なうことができる。
【００１３】
また、本発明は、バッテリ充電器において、分配抵抗に直列に接続された容量が接続されており、前記制御部が、前記試験動作の対象の分配抵抗の抵抗値と前記容量とによって決まる時定数に対応する時間を用いて各スイッチを切り換えることを要旨とする。これにより、ＲＣ時定数を考慮して、的確に抵抗の接続状態を確認することができる。
【００１４】
また、本発明は、制御部が、接続されたバッテリの温度検知を行ない、検知された温度に基づいて試験動作の実行の要否を判定することを要旨とする。これにより、温度状況による誤検出を抑制することができる。
【００１５】
また、本発明は、分配抵抗に対して直列にスイッチ及び擬似抵抗を設け、前記バッテリ充電器にバッテリが接続されていない場合には、前記スイッチを用いて擬似抵抗を接続して分配抵抗の試験動作を行なうことを要旨とする。これにより、バッテリを接続しない場合にも試験を行なうことができる。
【発明の効果】
【００１６】
本発明によれば、バッテリ充電器において、バッテリパックのサーミスタの抵抗値を評価するための分配抵抗の試験を行なうための抵抗試験回路及び抵抗試験回路を備えたバッテリ充電器を提供することができる。
【図面の簡単な説明】
【００１７】
【図１】本実施形態のバッテリ充電器の構成の説明図。
【図２】バッテリ充電器の試験の処理手順の説明図。
【図３】本実施形態のバッテリ充電器の試験のための動作状態の説明図であって、（ａ）は第１動作状態、（ｂ）は第２動作状態、（ｃ）第３動作状態の説明図。
【図４】本実施形態のバッテリ充電器の試験のための動作状態の説明図であって、（ａ）は第４動作状態、（ｂ）は第５動作状態、（ｃ）第６動作状態の説明図。
【図５】本実施形態のバッテリ充電器の試験のための動作状態の説明図であって、（ａ）は第７動作状態、（ｂ）は第８動作状態、（ｃ）第９動作状態の説明図。
【図６】他の実施形態の試験の処理手順の説明図。
【図７】他の実施形態の抵抗試験回路の構成の説明図。
【図８】他の実施形態のバッテリ充電器の試験のための動作状態の説明図であって、（ａ）は第１動作状態、（ｂ）は第２動作状態の説明図。
【図９】他の実施形態のバッテリ充電器の試験のための動作状態の説明図であって、（ａ）は第３動作状態、（ｂ）は第４動作状態の説明図。
【図１０】バッテリパックの充電の説明図であって、（ａ）はバッテリ充電器との接続状態の説明図、（ｂ）は充電電流の説明図、（ｃ）は充電電圧の説明図。
【図１１】バッテリ充電器におけるサーミスタの抵抗値の評価の説明であって、（ａ）は直列型の説明図、（ｂ）は並列型の説明図、（ｃ）はサーミスタに印加される電圧のタイミングチャート。
【発明を実施するための形態】
【００１８】
（第１の実施形態）
以下、本発明を具体化した抵抗試験回路の第１の実施形態を図１〜図５に従って説明する。本実施形態においては、バッテリパックの充電を行なうために、バッテリパックをバッテリ充電器に装着した場合に、温度を評価するための抵抗の試験を行なう。
【００１９】
図１に示すように、このバッテリパック１０は、バッテリセルＣＬ１及びサーミスタＴＨ１を備えている。そして、バッテリセルＣＬ１は外部端子ＴＭ１及び外部端子ＴＭ３に接続される。この外部端子ＴＭ１からバッテリセルＣＬ１を充電するための電流が供給される。外部端子ＴＭ３は、接地電圧が供給される共通端子である。また、サーミスタＴＨ１は、外部端子ＴＭ２及び外部端子ＴＭ３に接続される。この外部端子ＴＭ２には、バッテリ充電器２０からサーミスタＴＨ１の抵抗値を評価するための電圧が供給される。
【００２０】
一方、バッテリ充電器２０は、バッテリセルＣＬ１を充電するための電源２２、温度状態を評価するための抵抗Ｒ１〜Ｒ４、コンパレータＣＰ１、基準電圧源２５及び制御部２１等を備える。
【００２１】
電源２２は、バッテリパック１０の温度状態に対応した電流値の電流を供給する電流源である。
抵抗Ｒ１〜Ｒ４は、バッテリパック１０のサーミスタＴＨ１の抵抗を評価するための抵抗群である。本実施形態においては、直列型の抵抗群を有した構成を説明する。この直列型においては、抵抗Ｒ１〜Ｒ４が直列に接続されている。そして、最上段の抵抗Ｒ１の一端にはスイッチＳＷ１が接続されている。抵抗Ｒ１の他端と抵抗Ｒ２の一端との間の接続ノードにはスイッチＳＷ２、抵抗Ｒ２の他端と抵抗Ｒ３の一端との間の接続ノードにはスイッチＳＷ３、抵抗Ｒ３の他端と抵抗Ｒ４の一端との間の接続ノードにはスイッチＳＷ４が接続されている。各スイッチＳＷ１〜ＳＷ４には、参照電圧Ｖ０が供給される。
【００２２】
更に、抵抗Ｒ４の他端には、バッテリパック１０の外部端子ＴＭ２に接続される。これにより、参照電圧Ｖ０は、各抵抗Ｒ１〜Ｒ４を組み合わせた抵抗値と、サーミスタＴＨ１の抵抗値に応じた電圧に分割される。
【００２３】
更に、抵抗Ｒ４の他端は、容量Ｃ１を介して接地される。この容量Ｃ１は、外部ノイズ等、何らかの要因による急激な電圧変化を吸収するために用いられる。
更に、この抵抗Ｒ４の他端は、抵抗Ｒ５及びスイッチＳＷ５を介して接地される。この抵抗Ｒ５は、容量Ｃ１の電荷を開放するためのプルダウン抵抗である。
【００２４】
また、抵抗Ｒ４の他端は、コンパレータＣＰ１の非反転入力端子に接続される。従って、参照電圧Ｖ０を、各抵抗Ｒ１〜Ｒ４を組み合わせた抵抗値とサーミスタＴＨ１の抵抗値に応じて分割された電圧（分割電圧）が入力される。一方、このコンパレータＣＰ１の反転入力端子には、基準電圧源２５からサーミスタＴＨ１の抵抗を評価するための電圧（基準電圧Ｖ２）が供給される。
【００２５】
各抵抗Ｒ１〜Ｒ４の抵抗値は、以下の連立方程式を解くことにより求めることができる。
基準電圧Ｖ２＝参照電圧Ｖ０・Ｒ（Ｔ４）／〔Ｒ（Ｔ４）＋Ｒ４〕
基準電圧Ｖ２＝参照電圧Ｖ０・Ｒ（Ｔ３）／〔Ｒ（Ｔ３）＋Ｒ３＋Ｒ４〕
基準電圧Ｖ２＝参照電圧Ｖ０・Ｒ（Ｔ２）／〔Ｒ（Ｔ２）＋Ｒ２＋Ｒ３＋Ｒ４〕
基準電圧Ｖ２＝参照電圧Ｖ０・Ｒ（Ｔ１）／〔Ｒ（Ｔ１）＋Ｒ１＋Ｒ２＋Ｒ３＋Ｒ４〕
ここで、Ｒ（Ｔ）は、サーミスタＴＨ１の温度Ｔ（＝Ｔ１，Ｔ２，Ｔ３，Ｔ４）における抵抗値である。
【００２６】
制御部２１は抵抗試験回路として機能し、各スイッチＳＷ１〜ＳＷ５を同期させて制御するための信号を出力する。また、制御部２１は、基準電圧源２５に対して、コンパレータＣＰ１に供給する電圧を指示する。本実施形態では、セルフテストにける接続試験の場合には基準電圧Ｖ１、温度評価の場合には基準電圧Ｖ２、バッテリパック１０の接続検知の場合には基準電圧Ｖ３の供給を指示する。ここで、基準電圧Ｖ１としては、接地電圧より少し高い値（例えば、参照電圧Ｖ０の５％）を用いる。また、基準電圧Ｖ３としては、参照電圧Ｖ０より少し低い値（例えば、参照電圧Ｖ０の９５％）を用いる。更に、制御部２１は、コンパレータＣＰ１からの出力信号を取得し、充電前には抵抗Ｒ１〜Ｒ５の接続状態に関する試験結果、充電時にはバッテリパック１０の温度状態に応じた制御を行なう。このため、制御部２１は、温度領域に対応させた充電条件（充電電流値）を決定するための充電条件決定テーブルを保持している。
【００２７】
（処理手順）
まず、バッテリ充電器２０の試験を行なうための処理手順を、図２を用いて説明する。
ここでは、バッテリ充電器２０は、パワーオンする（ステップＳ１０１）。具体的には、バッテリ充電器２０に対して外部電源から電源電圧が供給された場合に、バッテリ充電器２０の制御部２１はパワーオンされる。
【００２８】
次に、バッテリ充電器２０は、セルフテストを実行する（ステップＳ１０２）。具体的には、後述するように、バッテリ充電器２０の制御部２１は、スイッチＳＷ１〜ＳＷ５を制御して、各抵抗の接続状態を試験する。
【００２９】
セルフテストにおいて問題がある場合（ステップＳ１０３において「ＮＯ」の場合）には、セルフテストを繰り返す（ステップＳ１０２）。
一方、セルフテストにおいて問題がない場合（ステップＳ１０３において「ＹＥＳ」の場合）には、バッテリ充電器２０は、接続検知処理を実行する（ステップＳ１０４）。ここでは、バッテリ充電器２０の制御部２１は、スイッチＳＷ５をオフ、スイッチＳＷ１をオンにして、外部端子ＴＭ２の電圧を測定する。更に、制御部２１は、基準電圧源２５に対して基準電圧Ｖ３の供給を指示する。ここで、バッテリパック１０が接続されていない場合には、外部端子ＴＭ２には参照電圧Ｖ０が出力される。このコンパレータＣＰ１は、外部端子ＴＭ２の電圧と、基準電圧源２５から供給される基準電圧Ｖ３とを比較して接続の有無を判定する。この接続検知処理は、バッテリパック１０の接続を検知するまで継続される（ステップＳ１０４において「ＮＯ」）。
【００３０】
バッテリパック１０の接続を検知した場合（ステップＳ１０４において「ＹＥＳ」の場合）、バッテリ充電器２０は、温度評価を行なう（ステップＳ１０５）。具体的には、バッテリ充電器２０の制御部２１は、基準電圧源２５に対して基準電圧Ｖ２の供給を指示する。そして、制御部２１は、スイッチＳＷ１〜ＳＷ４を順次切り換えて、サーミスタＴＨ１の両端の電圧をコンパレータＣＰ１に入力する。そして、制御部２１は、サーミスタＴＨ１の両端電圧と基準電圧Ｖ２との比較結果をコンパレータＣＰ１から取得し、バッテリパック１０の温度状態を特定する。
【００３１】
ここで、測定結果において温度異常（温度Ｔ１以下や温度Ｔ６以上）を検知した場合（ステップＳ１０６において「ＮＯ」の場合）には、バッテリ充電器２０は、アラームを出力する（ステップＳ１０７）。具体的には、バッテリ充電器２０の制御部２１は、充電ができないことを示したアラーム表示を出力する。
【００３２】
一方、測定結果において温度Ｔ１〜温度Ｔ６の範囲内であり、温度異常がない場合（ステップＳ１０６において「ＹＥＳ」の場合）には、バッテリ充電器２０は、充電電流を決定する（ステップＳ１０８）。具体的には、バッテリ充電器２０の制御部２１は、バッテリパック１０の温度状態に応じて充電を行なうための電流値を決定し、決定した充電値に関する情報を電源２２に供給する。
【００３３】
そして、バッテリ充電器２０は、バッテリパック１０の充電を開始する（ステップＳ１０９）。具体的には、バッテリ充電器２０の電源２２は、決定された電流値での充電を行なう。
【００３４】
そして、バッテリ充電器２０は、バッテリパック１０のバッテリセルＣＬ１の充電電流値や電圧を測定することにより、充電の終了判定を行なう（ステップＳ１１０）。
バッテリセルＣＬ１の充電電流値や電圧が充電完了条件に達していない場合（ステップＳ１１０において「ＮＯ」の場合）には、温度評価（ステップＳ１０５）以降の処理を継続的に繰り返す。
【００３５】
一方、バッテリセルＣＬ１の充電電流値や電圧が充電完了条件に達した場合（ステップＳ１１０において「ＹＥＳ」の場合）には、バッテリ充電器２０は、充電を終了する（ステップＳ１１１）。
【００３６】
（動作）
次に、上述したセルフテスト（ステップＳ１０２）における接続試験を、図３〜図５を用いて説明する。このセルフテストは９個の動作状態により構成されている。
【００３７】
第１動作状態においては、図３（ａ）に示すように、すべてのスイッチＳＷ１〜ＳＷ５を「開」状態にする（初期状態）。
第２動作状態においては、図３（ｂ）に示すように、スイッチＳＷ５のみを「閉」状態にする。この場合、容量Ｃ１に蓄積された電荷は、抵抗Ｒ５及びスイッチＳＷ５を介して放電される。ここで、制御部２１は、コンパレータＣＰ１から「Ｌｏｗ」を取得した場合には次の動作状態に実行し、「Ｈｉｇｈ」の場合には試験を終了する。
【００３８】
第３動作状態においては、図３（ｃ）に示すように、スイッチＳＷ１のみを「閉」状態にする。この場合、参照電圧Ｖ０がスイッチＳＷ１を介して、抵抗Ｒ１に供給される。この参照電圧Ｖ０は、抵抗Ｒ１〜Ｒ４及びサーミスタＴＨ１に、各抵抗値に応じて分配される。そして、サーミスタＴＨ１に分配された電圧は、容量Ｃ１に蓄積される。この電圧が、コンパレータＣＰ１の非反転入力端子に供給される。
【００３９】
この場合、コンパレータＣＰ１は、サーミスタＴＨ１の電圧と基準電圧Ｖ１との比較結果を出力する。そして、制御部２１は、抵抗Ｒ１〜Ｒ４による抵抗値と容量Ｃ１によって決まる時定数に対応した時間経過後にコンパレータＣＰ１から出力された比較結果を取得する。ここで、比較結果が「Ｈｉｇｈ」でない場合には、制御部２１は、スイッチＳＷ１〜ＳＷ５を第１動作状態に戻し、試験を終了する。一方、コンパレータＣＰ１が「Ｈｉｇｈ」を出力した場合、制御部２１は次の動作状態を実行する。
【００４０】
第４動作状態においては、図４（ａ）に示すように、スイッチＳＷ５のみを「閉」状態にする。この場合、容量Ｃ１に蓄積された電荷は、抵抗Ｒ５及びスイッチＳＷ５を介して放電される。ここで、制御部２１は、コンパレータＣＰ１から「Ｌｏｗ」を取得した場合には次の動作状態に実行し、「Ｈｉｇｈ」の場合には試験を終了する。
【００４１】
第５動作状態においては、図４（ｂ）に示すように、スイッチＳＷ２のみを「閉」状態にする。この場合、参照電圧Ｖ０がスイッチＳＷ２を介して、抵抗Ｒ２に供給される。この参照電圧Ｖ０は、抵抗Ｒ２〜Ｒ４及びサーミスタＴＨ１に、各抵抗値に応じて分配される。そして、サーミスタＴＨ１に分配された電圧は、容量Ｃ１に蓄積される。この電圧が、コンパレータＣＰ１の非反転入力端子に供給される。この場合、コンパレータＣＰ１は、サーミスタＴＨ１の電圧と、基準電圧Ｖ１との比較結果を出力する。
【００４２】
そして、制御部２１は、抵抗Ｒ２〜Ｒ４による抵抗値と容量Ｃ１によって決まる時定数に対応した時間経過後にコンパレータＣＰ１から出力された比較結果を取得する。ここで、比較結果が「Ｈｉｇｈ」でない場合には、制御部２１は、スイッチＳＷ１〜ＳＷ５を第１動作状態に戻し、試験を終了する。一方、コンパレータＣＰ１が「Ｈｉｇｈ」を出力した場合、制御部２１は次の動作状態を実行する。
【００４３】
第６動作状態においては、図４（ｃ）に示すように、スイッチＳＷ５のみを「閉」状態にする。この場合、容量Ｃ１に蓄積された電荷は、抵抗Ｒ５及びスイッチＳＷ５を介して放電される。ここで、制御部２１は、コンパレータＣＰ１から「Ｌｏｗ」を取得した場合には次の動作状態に実行し、「Ｈｉｇｈ」の場合には試験を終了する。
【００４４】
第７動作状態においては、図５（ａ）に示すように、スイッチＳＷ３のみを「閉」状態にする。この場合、参照電圧Ｖ０がスイッチＳＷ３を介して、抵抗Ｒ２に供給される。この参照電圧Ｖ０は、抵抗Ｒ３〜Ｒ４及びサーミスタＴＨ１に、各抵抗値に応じて分配される。そして、サーミスタＴＨ１に分配された電圧は、容量Ｃ１に蓄積される。この電圧が
、コンパレータＣＰ１の非反転入力端子に供給される。
【００４５】
そして、制御部２１は、抵抗Ｒ３〜Ｒ４による抵抗値と容量Ｃ１によって決まる時定数に対応した時間経過後にコンパレータＣＰ１から出力された比較結果を取得する。この場合、コンパレータＣＰ１は、サーミスタＴＨ１の電圧と、基準電圧Ｖ１との比較結果を出力する。ここで、比較結果が「Ｈｉｇｈ」でない場合には、制御部２１は、スイッチＳＷ１〜ＳＷ５を第１動作状態に戻し、試験を終了する。一方、コンパレータＣＰ１が「Ｈｉｇｈ」を出力した場合、制御部２１は次の動作状態を実行する。
【００４６】
第８動作状態においては、図５（ｂ）に示すように、スイッチＳＷ５のみを「閉」状態にする。この場合、容量Ｃ１に蓄積された電荷は、抵抗Ｒ５及びスイッチＳＷ５を介して放電される。ここで、制御部２１は、コンパレータＣＰ１から「Ｌｏｗ」を取得した場合には次の動作状態に実行し、「Ｈｉｇｈ」の場合には試験を終了する。
【００４７】
第９動作状態においては、図５（ｃ）に示すように、スイッチＳＷ４のみを「閉」状態にする。この場合、参照電圧Ｖ０がスイッチＳＷ３を介して、抵抗Ｒ２に供給される。この参照電圧Ｖ０は、抵抗Ｒ４及びサーミスタＴＨ１に、各抵抗値に応じて分配される。そして、サーミスタＴＨ１に分配された電圧は、容量Ｃ１に蓄積される。この電圧が、コンパレータＣＰ１の非反転入力端子に供給される。
【００４８】
そして、制御部２１は、抵抗Ｒ４の抵抗値と容量Ｃ１によって決まる時定数に対応した時間経過後にコンパレータＣＰ１から出力された比較結果を取得する。この場合、コンパレータＣＰ１は、サーミスタＴＨ１の電圧と、基準電圧Ｖ１との比較結果を出力する。ここで、比較結果が「Ｈｉｇｈ」でない場合には、制御部２１は、スイッチＳＷ１〜ＳＷ５を第１動作状態に戻し、試験を終了する。一方、コンパレータＣＰ１が「Ｈｉｇｈ」を出力した場合、制御部２１は、カウンタ値をインクリメントする。カウンタ値が基準試験回数（例えば２回）に達していない場合には、制御部２１は、第１動作状態からの処理を繰り返す。
【００４９】
一方、カウンタ値が基準試験回数に達している場合には、制御部２１は試験動作を終了する。なお、比較結果が「Ｈｉｇｈ」でないために、第１動作状態に戻った場合には、前述したように充電を停止してアラームを出力する。
【００５０】
上記実施形態の抵抗試験回路によれば、以下のような効果を得ることができる。
・  上記実施形態では、分配抵抗の接続状態を試験した後で充電が開始される。これにより、抵抗Ｒ１〜Ｒ４の接続状態を確認し、サーミスタを用いた的確な温度評価に基づいて、充電を行なうことができる。
【００５１】
なお、上記実施形態は以下のように変更してもよい。
○  上記実施形態では、図２に示したように、セルフテスト（ステップＳ１０２）の後で温度評価（ステップＳ１０５）を行なって充電を行なう。これに代えて、セルフテストの順番を変更することも可能である。この処理手順を、図６を用いて説明する。
【００５２】
ここでは、バッテリ充電器２０は、パワーオンする（ステップＳ２０１）。そして、バッテリ充電器２０の制御部２１は、ステップＳ１０４と同様に、接続検知処理を実行する（ステップＳ２０２）。この接続検知処理は、接続を検知するまで継続される（ステップＳ２０２において「ＮＯ」）。
【００５３】
接続を検知した場合（ステップＳ２０２において「ＹＥＳ」の場合）、ステップＳ１０２と同様に、セルフテストを実行する（ステップＳ２０３）。
セルフテストにおいて問題がある場合（ステップＳ２０４において「ＮＯ」の場合）には、バッテリ充電器２０は、セルフテストを開始してから一定時間を経過したかどうかを判定する（ステップＳ２０５）。具体的には、バッテリ充電器２０の制御部２１は、最初にセルフテストにおいて問題を検知したときにタイマを起動し、経過時間を算出する。そして、制御部２１は、予め保持しているアラーム出力基準時間と比較する。
【００５４】
セルフテストを開始してから一定時間（アラーム出力基準時間）を経過していない場合（ステップＳ２０５において「ＮＯ」の場合）、バッテリ充電器２０の制御部２１は、セルフテストを繰り返す（ステップＳ２０３）。
【００５５】
セルフテストを開始してから一定時間（アラーム出力基準時間）を経過している場合（ステップＳ２０５において「ＹＥＳ」の場合）、バッテリ充電器２０は、アラームを出力する（ステップＳ２０６）。具体的には、バッテリ充電器２０の制御部２１は、充電ができないことを示したアラーム表示を出力する。そして、バッテリ充電器２０の制御部２１は、セルフテストを継続する（ステップＳ２０３）。
【００５６】
セルフテストにおいて問題がない場合（ステップＳ２０４において「ＹＥＳ」の場合）には、バッテリ充電器２０は、温度評価を行なう（ステップＳ２０７）。具体的には、バッテリ充電器２０の制御部２１は、スイッチＳＷ１〜ＳＷ４を順次切り換えて、サーミスタＴＨ１の両端の電圧をコンパレータＣＰ１に入力する。
【００５７】
ここで、測定結果において温度異常（温度Ｔ１以下や温度Ｔ６以上）を検知した場合（ステップＳ２０８において「ＮＯ」の場合）には、バッテリ充電器２０は、アラームを出力する（ステップＳ２０６）。
【００５８】
一方、測定結果において温度Ｔ１〜温度Ｔ６の範囲内であり、温度異常がない場合（ステップＳ２０８において「ＹＥＳ」の場合）には、バッテリ充電器２０は、充電電流を決定する（ステップＳ２０９）。ここで、アラームの出力（ステップＳ２０６）を行なっている場合には、バッテリ充電器２０の制御部２１は、アラームをリセットする。そして、ステップＳ１０８と同様に、制御部２１は、バッテリパック１０の温度状態に応じて充電を行なうための電流値を決定し、決定した充電値に関する情報を電源２２に供給する。
【００５９】
そして、バッテリ充電器２０は、バッテリパック１０の充電を開始する（ステップＳ２１０）。バッテリ充電器２０は、充電の終了判定を行なう（ステップＳ２１１）。
充電完了条件に達していない場合（ステップＳ２１１において「ＮＯ」の場合）には、温度評価（ステップＳ２０７）以降の処理を継続的に繰り返す。一方、充電完了条件に達した場合（ステップＳ２１１において「ＹＥＳ」の場合）には、バッテリ充電器２０は、充電を終了する（ステップＳ２１２）。
【００６０】
バッテリパック１０の温度が高くなっている場合には、サーミスタＴＨ１の抵抗が下がっており、セルフテストにおいて誤検出してしまう場合がある。上記実施形態においては、一定時間内にセルフテストをパスしない場合（ステップＳ２０４において「ＮＯ」，ステップＳ２０５において「ＹＥＳ」の場合）、バッテリ充電器２０の制御部２１は、アラームを出力する（ステップＳ２０６）。従って、誤検出を抑制して、アラームを出力することができる。そして、セルフテストにおいて問題がなくなってから、温度評価（ステップＳ２０７）を行なうことができる。
【００６１】
（第２の実施形態）
次に、本発明を具体化した第２の抵抗試験回路の実施形態を図７〜図９に従って説明する。本実施形態においては、バッテリ充電器４０の工場出荷において試験を行なう場合に
、分配抵抗の試験を行なう。
【００６２】
本実施形態においては、抵抗試験回路として、図７に示す点検装置３０を用いる。この点検装置３０は、テスト制御部３１、スイッチＳＷ１５及び抵抗Ｒ１５を備えている。そして、テスト制御部３１は、スイッチＳＷ１５を制御するとともに、テスト設定信号をバッテリ充電器４０に供給する。
【００６３】
バッテリ充電器４０は、スイッチＳＷ１〜ＳＷ４、抵抗Ｒ１〜Ｒ４、容量Ｃ１、コンパレータＣＰ１及びテスト設定回路４１を備えている。このテスト設定回路４１は、スイッチＳＷ１〜ＳＷ４を制御する。
【００６４】
更に、このテスト設定回路４１には、図示されない内部スイッチを制御する手段を有している。例えば、テストモードなどを使用するが、その設定方法等は本発明の要旨とは無関係の為、これを割愛する。このテスト設定回路４１は、テスト設定信号に基いて、スイッチＳＷ１〜ＳＷ４を制御する。
【００６５】
そして、バッテリ充電器４０の端子ＴＭ１４は、抵抗Ｒ４と容量Ｃ１との接続ノードに接続される。この端子ＴＭ１４は、点検装置３０において、スイッチＳＷ１５を介して、抵抗Ｒ１５の一端に接続される。この抵抗Ｒ１５は擬似抵抗として機能し、他端は接地される。
【００６６】
（動作）
次に、本実施形態におけるセルフテストを、図８、９を用いて説明する。このセルフテストにおいては、テスト制御部３１により制御される４個の動作状態により構成されている。このセルフテストは出荷前のバッテリパックが接続されていない状態で行なわれる。そして、抵抗Ｒ１５が、サーミスタの代わりにスイッチＳＷ１５を介してコンパレータＣＰ１に接続されることになる。
【００６７】
第１動作状態においては、図８（ａ）に示すように、スイッチＳＷ１、ＳＷ１５を「閉」状態にする。更に、この状態の端子ＴＭ１４の電圧が、所望の分圧比（抵抗Ｒ１〜Ｒ４と抵抗Ｒ１５との分圧比）になっているかどうかを確認する。
【００６８】
第２動作状態においては、図８（ｂ）に示すように、スイッチＳＷ１、スイッチＳＷ２、ＳＷ１５を「閉」状態にする。更に、この状態の端子ＴＭ１４の電圧が所望の分圧比（抵抗Ｒ２〜Ｒ４と抵抗Ｒ１５との分圧比）になっているかどうかを確認する。
【００６９】
第３動作状態においては、図９（ａ）に示すように、スイッチＳＷ１、ＳＷ２、ＳＷ３、ＳＷ１５を「閉」状態にする。更に、この状態の端子ＴＭ１４の電圧が所望の分圧比（抵抗Ｒ３〜Ｒ４と抵抗Ｒ１５との分圧比）になっているかどうかを確認する。
【００７０】
第４動作状態においては、図９（ｂ）に示すように、スイッチＳＷ１、ＳＷ２、ＳＷ３、ＳＷ４、ＳＷ１５を「閉」状態にする。更に、この状態の端子ＴＭ１４の電圧が所望の分圧比（抵抗Ｒ４と抵抗Ｒ１５との分圧比）になっているかどうかを確認する。
【００７１】
上記実施形態の抵抗試験回路によれば、以下のような効果を得ることができる。
・  上記実施形態では、サーミスタの代わりに、抵抗Ｒ１５が接続される。これにより、バッテリパックが接続されていない出荷前において、抵抗の接続状態の試験を行なうことができる。
【００７２】
なお、上記実施形態は以下のように変更してもよい。
○  上記第１実施形態では、第９動作状態においては、スイッチＳＷ４のみを「閉」状態にする。これに代えて、スイッチＳＷ４及びスイッチＳＷ５を「閉」状態にしてもよい。この場合、抵抗Ｒ４，Ｒ５、サーミスタＴＨ１による分圧比は、基準電圧Ｖ１に比べ十分マージンがあることが前提となる。これにより、もし、前の動作状態でで誤検知した場合にも、容量Ｃ１、抵抗Ｒ４、サーミスタＴＨ１が確実に接続されていることを確認できる。
【００７３】
○  上記実施形態では、分配抵抗が直列に接続された直列型のバッテリ充電器を用いて説明した。分配抵抗の接続形態は直列型に限定されるものではなく、並列型に適用することも可能である。
【００７４】
○  上記実施形態では、各動作状態を順次実行したが、各動作状態の順番は上記実施形態の順番に限定されるものではない。すべての動作状態を組み合わせて順次、試験ができるものであればよい。
【００７５】
○  上記実施形態では、分配抵抗として４個の抵抗Ｒ１〜Ｒ４を用いる場合を説明した。これは、温度Ｔ１〜Ｔ４に対応するものである。評価対象の温度は４点に限定されるものではない。この場合には、この温度に対応した個数の抵抗を設け、各抵抗を評価するための動作状態を設定すればよい。
【符号の説明】
【００７６】
１０…バッテリパック、２０…バッテリ充電器、２１…制御部、２２…電源、３０…点検回路、４０…バッテリ充電器、４１…テスト設定回路、ＣＬ１…バッテリセル、ＴＨ１…サーミスタ、Ｒ１〜Ｒ５…抵抗、Ｃ１…容量、ＳＷ１〜ＳＷ５，ＳＷ１１〜ＳＷ１５…スイッチ。
【図１】
2010283955.tif 000003
【図２】
2010283955.tif 000004
【図３】
2010283955.tif 000005
【図４】
2010283955.tif 000006
【図５】
2010283955.tif 000007
【図６】
2010283955.tif 000008
【図７】
2010283955.tif 000009
【図８】
2010283955.tif 000010
【図９】
2010283955.tif 000011
【図１０】
2010283955.tif 000012
【図１１】
2010283955.tif 000013